(57)【要約】【課題】パネルや取付け対象となる壁面等の損傷が少なく、容易にパネルの取り付けや取外しが可能な化粧パネルの取り付け構造を提供する。【解決手段】本発明を適用した化粧パネルの取り付け構造における化粧パネル１に複数の面ファスナー２が取り付けられている。化粧パネル１は、ケイ酸カルシウム板から形成されている。また、その裏面には接着剤で樹脂含浸紙３が貼り合されている。面ファスナー２は、面ファスナー同士の着脱に寄与しない面は接着面となっており、その接着面の接着力で樹脂含浸紙３に取り付けられている。【選択図】図１
2015203260.tif 000002
【特許請求の範囲】
【請求項１】
所定の面に取付けられる第１の着脱部と、
一方の面に該第１の着脱部と着脱可能に構成された第２の着脱部が設けられた化粧パネルとを備える
化粧パネル取り付け構造。
【請求項２】
前記第１の着脱部及び前記第２の着脱部は面ファスナーである
請求項１に記載の化粧パネル取り付け構造。
【請求項３】
前記第２の着脱部は前記化粧パネルの一方の面の端部近傍に設けられた
請求項１または請求項２に記載の化粧パネル取り付け構造。
【請求項４】
前記第１の着脱部は複数設けられ、隣接した同第１の着脱部同士が一定間隔を有すると共に、前記所定の面に鉛直方向に亘って連続して取り付けられた
請求項１、請求項２または請求項３に記載の化粧パネル取り付け構造。
【請求項５】
前記第２の着脱部は複数設けられ、隣接した同第２の着脱部同士が一定間隔を有すると共に、その長手方向の長さが前記第１の着脱部の長手方向の長さよりも短く形成された
請求項１、請求項２、請求項３または請求項４に記載の化粧パネル取り付け構造。
【請求項６】
前記第２の着脱部は前記化粧パネルの一方の面の端部近傍に沿って連続的に設けられた
請求項１、請求項２または請求項３に記載の化粧パネル取り付け構造。
【請求項７】
前記第２の着脱部は前記化粧パネルの一方の面の略全面に設けられた
請求項１または請求項２に記載の化粧パネル取り付け構造。
【請求項８】
前記化粧パネルは単位面積あたりの質量が３．０ｋｇ／ｍ２〜１０ｋｇ／ｍ２の範囲であり、
前記第１の着脱部及び前記第２の着脱部の長手方向への剪断強度が１．５Ｎ／ｃｍ２〜１３Ｎ／ｃｍ２の範囲である
請求項１、請求項２、請求項３または請求項４に記載の化粧パネル取り付け構造。
【請求項９】
前記化粧パネルは単位面積あたりの質量が３．０ｋｇ／ｍ２〜１０ｋｇ／ｍ２の範囲であり、
前記第１の着脱部及び前記第２の着脱部の長手方向への剥離強度が０．１５Ｎ／ｃｍ〜２．４Ｎ／ｃｍの範囲である
請求項１、請求項２、請求項３または請求項４に記載の化粧パネル取り付け構造。
【請求項１０】
前記第１の着脱部及び前記第２の着脱部が結合した状態の剥離に必要な力よりも強い力で前記化粧パネルの一方の面及び同第２の着脱部に取付けられた補強部材を備える
請求項１、請求項２、請求項３または請求項４に記載の化粧パネル取り付け構造。
【請求項１１】
所定の面に面ファスナーを介して化粧パネルを着脱可能に取り付ける
化粧パネルの取り付け方法。
【発明の詳細な説明】
【技術分野】
【０００１】
本発明は、化粧パネルの取り付け構造及び化粧パネルの取り付け方法に関する。詳しくは、パネルや取付け対象となる壁面等の損傷が少なく、容易にパネルの取り付けや取外しが可能な化粧パネルの取り付け構造及び化粧パネルの取り付け方法に係るものである。
【背景技術】
【０００２】
合板や木質材等のパネルに化粧シートを接着して貼り付けた化粧パネルや塗装が施されたもの、または素地を利用した化粧パネル等が商業施設や住宅の内装材として広く用いられている。化粧パネルはシートの色柄やパネルの形状に特徴を持たせることで、室内の内装面に意匠性を持たせている。
【０００３】
化粧パネルは壁面や天井に対して取り付けられるが、その取り付けの方法としては、対象となる下地面に対してパネルを直接、接着剤やビスを用いて固定する方法が一般的であった。例えば、特許文献１には、バスルーム等の水回りで使用される壁パネルとその取り付け構造が提案されている。
【０００４】
ここで、特許文献１には、図７に示すような化粧パネルの構造が記載されている。タイルから構成される表面化粧材１００を、不飽和ポリエステル樹脂から成るシート状の接着剤１０１を介して、基板１０２に取り付けている。また、基板１０２の裏面には、補強材としてフレーム１０３が配置されている。
【０００５】
また、特許文献２には、多数のウッドパネルを、接着剤を用いて基板に固着する構造が記載されている。
【先行技術文献】
【特許文献】
【０００６】
【特許文献１】特開２００６−２９９７７７号公報
【特許文献２】特開２０１１−９４３９３号公報
【発明の概要】
【発明が解決しようとする課題】
【０００７】
しかしながら、接着剤を使用する特許文献１や特許文献２に記載された化粧パネルは、取り付け後に別のパネルへと交換する時には、化粧パネルを破損させて剥がすことになる。また、その際に、壁面や基板に対しても表面が剥がれる等して損傷を生じるおそれがある。更に剥がす作業自体が面倒なものとなる。
【０００８】
また、ビス止め等の器具を介して固定した際には、壁面に孔が残るため、その補修作業を要することになる。例えば、定期的な内装工事を行う店舗や、化粧パネルの展示会で使用される場合には、パネルは消耗品となり、取り付け対象となる壁面への損傷への対応が問題となる。
【０００９】
また、化粧パネルが直接、壁面等に取り付けられると、下地となった壁面からの振動や変形の影響を受けやすくなる。地震等の影響で化粧パネルの変形や破損が生じるリスクが高いものとなる。
【００１０】
また、化粧パネルの取り付け時において、目的の位置に設置する作業は熟練を要し、作業効率が悪いものと考えられる。また、パネルの貼り直しができず、技術を持たない人が自宅の内装等に施す場合には、非常に困難な作業となる。
【００１１】
本発明は、以上の点に鑑みて創案されたものであり、パネルや取付け対象となる壁面等の損傷が少なく、容易にパネルの取り付けや取外しが可能な化粧パネルの取り付け構造及び化粧パネルの取り付け方法を提供することを目的とする。
【課題を解決するための手段】
【００１２】
上記の目的を達成するために、本発明の化粧パネル取り付け構造は、所定の面に取付けられる第１の着脱部と、一方の面に該第１の着脱部と着脱可能に構成された第２の着脱部が設けられた化粧パネルとを備える。
【００１３】
ここで、所定の面に取付けられる第１の着脱部によって、化粧パネルを取り付けたい面に対して取り付け構造を設けることができる。なお、ここでいう所定の面とは、化粧パネルを取り付けたい部分であって、例えば、壁面や天井面等のパネルの配置が可能な領域を意味する。
【００１４】
また、一方の面に第１の着脱部と着脱可能に構成された第２の着脱部が設けられた化粧パネルによって、第１の着脱部に対してパネルの着脱が可能となる。また、パネルの取り付けと取外しを繰り返し行うことができる。この場合、壁面等に取り付ける化粧パネルの種類の変更も容易に行うことができる。なお、ここでいう一方の面とは、パネルを取り付けたい壁面等と対向する面を意味する。
【００１５】
また、第１の着脱部及び第２の着脱部が面ファスナーである場合には、着脱を容易に行うことが可能となる。また、面ファスナーが化粧パネルと所定の面との間に介在し、緩衝材として機能することで、所定の面の変形や振動の影響を受けにくい構造にすることができる。
【００１６】
また、第２の着脱部が化粧パネルの一方の面の端部近傍に設けられた場合には、取り付け後の化粧パネルの形状変化が起きにくい構造となる。即ち、湿気等によりパネル素材が伸縮し、設置後の状態から反って形状が変化するが、反りが発生しやすい端部を着脱部で押さえることで、形状変化を減らすことが可能となる。
【００１７】
また、第１の着脱部が複数設けられ、隣接した第１の着脱部同士が一定間隔を有する場合には、化粧パネルがより一層取り付け易くなる。即ち、化粧パネルの第２の着脱部の位置と第１の着脱部の位置を併せやすくなる。また、複数の化粧パネルを取り付け易くなる。更に、化粧パネルの大きさの自由度を高めることができる。
【００１８】
また、第１の着脱部が複数設けられ、隣接した第１の着脱部同士が一定間隔を有すると共に、所定の面に鉛直方向に亘って連続して取り付けられた場合には、化粧パネルの荷重をより安定して支持することが可能となる。即ち、例えば、壁面にパネルを取り付ける際に、パネルの自重がかかる鉛直方向に亘ってパネルが固定される構造となるため、パネルがより落下しにくくなる。
【００１９】
また、第２の着脱部が複数設けられ、隣接した第２の着脱部同士が一定間隔を有する場合には、化粧パネルの取り付け及び取外しがより一層容易になる。即ち、化粧パネルの第２の着脱部の位置と第１の着脱部の位置を併せやすくなる。また、第２の着脱部同士の間に金尺等の部材を差し込むことができ、部材を引っ掛けて取り外すことができる。
【００２０】
また、第２の着脱部が複数設けられ、隣接した第２の着脱部同士が一定間隔を有すると共に、その長手方向の長さが第１の着脱部の長手方向の長さよりも短く形成された場合には、化粧パネルをより一層取外し易くなる。即ち、第１の着脱部の方が長手方向に長さを有することで第２の着脱部が剥離する動きに追従しにくくなり、パネルの取外しが容易になる。また、第１の着脱部が化粧パネルの取外しの際に、剥離に伴う力が分散され、壁面等から剥がれにくく耐久性を向上させることができる。
【００２１】
また、第２の着脱部が化粧パネルの一方の面の端部近傍に沿って連続的に設けられた場合には、より一層、取り付け後の化粧パネルの形状変化が起きにくくすることができる。また、より一層安定した取り付け構造となる。
【００２２】
また、第２の着脱部が化粧パネルの一方の面の略全面に設けられた場合には、より一層安定した取り付け構造となる。
【００２３】
また、化粧パネルが単位面積あたりの質量が３．０ｋｇ／ｍ２〜１０ｋｇ／ｍ２の範囲であり、第１の着脱部及び第２の着脱部の長手方向への剪断強度が１．５Ｎ／ｃｍ２〜１３Ｎ／ｃｍ２の範囲である場合には、化粧パネルを充分安定に支持する構造となる。なお、ここでいう剪断強度とは、ＪＩＳ−Ｌ−３４１６−２０００に規定される試験方法に準じた方法で測定した剪断強度を意味するものである。
【００２４】
一方で、第１の着脱部及び第２の着脱部の長手方向への剪断強度が１．５Ｎ／ｃｍ２未満の場合には、化粧パネルが剥がれ落ちてしまうおそれがある。また、剪断強度が１３Ｎ／ｃｍ２を超える場合には、化粧パネルの取り付け構造が強固になり、取外しにくくなってしまう。
【００２５】
また、化粧パネルが単位面積あたりの質量が３．０ｋｇ／ｍ２〜１０ｋｇ／ｍ２の範囲であり、第１の着脱部及び第２の着脱部の長手方向への剥離強度が０．１５Ｎ／ｃｍ〜２．４Ｎ／ｃｍの範囲である場合には、化粧パネルの反りやあばれによる形状変化が起きにくい構造とすることができる。なお、ここでいう剥離強度とは、ＪＩＳ−Ｌ−３４１６−２０００に規定される試験方法に準じた方法で測定した剥離強度を意味するものである。
【００２６】
一方で、第１の着脱部及び第２の着脱部の長手方向への剥離強度が０．１５Ｎ／ｃｍ未満の場合には、化粧パネルの反りやあばれによる形状変化が充分に押さえられなくなるおそれがある。また、剥離強度が２．４Ｎ／ｃｍを超える場合には、化粧パネルの取り付け構造が強固になり、取外しにくくなってしまう。
【００２７】
また、第１の着脱部及び第２の着脱部が結合した状態の剥離に必要な力よりも強い力で化粧パネルの一方の面及び第２の着脱部に取付けられた補強部材を備える場合には、化粧パネルの繰り返しの着脱に対する耐久力を高めることができる。即ち、着脱部を剥離させる際に、第２の着脱部が化粧パネル側から剥がれてとれてしまう現象が起きにくくなる。
【００２８】
また、上記の目的を達成するために、本発明の化粧パネルの取り付け方法は、所定の面に面ファスナーを介して化粧パネルを着脱可能に取り付けるものとなっている。
【００２９】
ここで、面ファスナーを介して化粧パネルを着脱可能であることによって、着脱を容易に行うことが可能となる。また、面ファスナーが化粧パネルと所定の面との間に介在し、所定の面の変形や振動の影響を受けにくい構造にすることができる。
【発明の効果】
【００３０】
本発明に係る化粧パネルの取り付け構造は、パネルや取付け対象となる壁面等の損傷が少なく、容易にパネルの取り付けや取外しが可能なものとなっている。
また、本発明に係る化粧パネルの取り付け方法は、パネルや取付け対象となる壁面等の損傷が少なく、容易にパネルの取り付けや取外しが可能なものとなっている。
【図面の簡単な説明】
【００３１】
【図１】化粧パネルの一例を示す概略図（ａ）及び取り付け対象となる壁面の一例を示す概略図（ｂ）である。
【図２】化粧パネル及び壁面の側面図である。
【図３】化粧パネルの一例を示す概略図（ａ）及び取り付け対象となる壁面の一例を示す概略図（ｂ）である。
【図４】面ファスナーの配置の一例を示す図（ａ）、別の配置の一例を示す図（ｂ）及び更に別の配置の一例を示す図（ｃ）である。
【図５】化粧パネルの外周に沿って面ファスナーを設けた図（ａ）、外周と中央部分に設けた図（ｂ）、全面に設けた図（ｃ）及び中央領域に設けた図（ｄ）である。
【図６】剪断強度の測定試験を示す概略図（ａ）及び剥離強度の測定試験を示す概略図（ｂ）である。
【図７】従来の化粧パネルの取り付け構造を示す概略図である。
【発明を実施するための形態】
【００３２】
以下、本発明を適用した化粧パネルの一例について図面を参照しながら説明し、本発明の理解に供する。なお、以下に示す内容は本発明の実施の形態の一例に過ぎず、本発明の内容はこれらに限定されるものではない。
図１は、化粧パネルの一例を示す概略図（ａ）及び取り付け対象となる壁面の一例を示す概略図（ｂ）である。
【００３３】
図１（ａ）に示すように、本発明を適用した化粧パネルの取り付け構造における化粧パネル１に複数の面ファスナー２が取り付けられている。
【００３４】
化粧パネル１は、ケイ酸カルシウム板から形成されている。また、その裏面には接着剤で樹脂含浸紙３が貼り合されている。面ファスナー２は、面ファスナー同士の着脱に寄与しない面は接着面となっており、その接着面の接着力で樹脂含浸紙３に取り付けられている。
【００３５】
また、面ファスナー２と樹脂含浸紙３の間には、必要に応じて、接着剤やタッカーを使用して、面ファスナー２を樹脂含浸紙３及び化粧パネル１に対して、強固に取り付けるものとなっている。
【００３６】
樹脂含浸紙３は、化粧パネル１及び面ファスナー２の双方との接着性の良さを有するものであり、面ファスナー２の接着面のみで化粧パネル１に取り付けにくい際に、面ファスナー２の化粧パネル１への取り付けを補強する。
【００３７】
また、面ファスナー２は化粧パネル１の裏面４の端部の近傍に配置されている。また、隣接する面ファスナー２同士の間は一定の間隔を有するものとなっている。なお、図１（ａ）の化粧パネル１の上下端の真ん中に点線で示した部分５は、この位置における面ファスナー２の別の配置を示している。
【００３８】
また、面ファスナー２は、化粧パネル１の端部から約２ｃｍ程度内側の位置に取付けられている。このように、パネル端部からやや間隔を空けて面ファスナーを設けることで、壁面から取り外す際に、指や金尺等の部材を引っ掛けやすい構造となっている。
【００３９】
ここで、化粧パネル１の素材が限定されるものではない。内装パネルとして用いられる既知の素材をはじめ、本発明に適用することができる。例えば、ＭＤＦ材や木質板、繊維板、樹脂板、金属板等の種々の素材に適用可能である。また、基板となる板に木目の外観を有する突板を張り付けたものも採用しうる。
【００４０】
また、必ずしも、化粧パネル１の裏面に樹脂含浸紙３が貼り合される必要はない。但し、面ファスナー２の接着面と化粧パネル１の素材の面との接着性がよくない際に、双方と良好に接着する結果、面ファスナー２が化粧パネル１から剥離しづらくなる点から、化粧パネル１の裏面に樹脂含浸紙３が貼り合されることが好ましい。なお、樹脂含浸紙の他にも、合板や化粧板を間に配置する部材としてもよい。
【００４１】
また、面ファスナー２の化粧パネル１の裏面に配置される位置や数は限定されるものではなく、化粧パネルが壁面等に取り付け可能であれば充分である。但し、化粧パネル１の反り等による形状の変化を押さえやすくなる点から、面ファスナー２が化粧パネル１の端部近傍に配置されることが好ましい。また、取外しが容易になる点から、化粧パネル１の端部から一定の距離だけ内側に面ファスナーが取り付けられることが好ましい。
【００４２】
図１（ｂ）には、本発明を適用した化粧パネルの取り付け構造における化粧パネル１を取り付ける下地となる壁面６を示している。壁面６には、鉛直方向に連続的に面ファスナー７が取り付けられている。また、隣接する面ファスナー７同士の間は一定の間隔を有するものとなっている。
【００４３】
面ファスナー７は、化粧パネル１に取付けられた面ファスナー２と着脱可能な表面を有している。また、面ファスナー２との着脱に寄与しない面は、接着面となっており、その接着面の接着力で壁面６に取り付けられている。
【００４４】
また、面ファスナー７と壁面６の間には、必要に応じて、接着剤やタッカーを使用して、面ファスナー７を強固に取り付けるものとなっている。
【００４５】
また、面ファスナー２及び面ファスナー７は、その着脱面にフックとループの両方が混在した雌雄型の着脱面を有している。また、その長さ方向への剪断強度が６．３Ｎ／ｃｍ２であり、剥離強度が０．６３Ｎ／ｃｍとなっている。なお、ここでいう、剪断強度及び剥離強度は後述するＪＩＳ−Ｌ−３４１６−２０００に規定される試験方法に準じた方法で測定した値である。
【００４６】
ここで、必ずしも、面ファスナー２及び面ファスナー７の長さ方向への剪断強度及び剥離強度が一定範囲の値に限定される必要はなく、化粧パネルを壁面に対して安定して取り付け可能であり、取外しも可能なものであれば充分である。
【００４７】
また、面ファスナーの種類も特に限定されるものではない。例えば、一方の表面がフックのみ、他方の表面がループのみが存在する、いわゆる雄と雌が一対となった面ファスナーを使用することもできる。
【００４８】
上記で示した化粧パネルの取り付け時の安定性について説明する。ここでは、各数値を本発明の化粧パネルの取り付け構造に採用しうる一例として示すものである。
【００４９】
化粧パネル１としては、種々の素材が選択しうるが、一般的には、１ｍ２あたり約３ｋｇから１０ｋｇの重量を有するものとなっている。勿論、この範囲に含まれない素材も使用しうる。化粧パネル１を約５ｋｇ／ｍ２のパネルとする。
【００５０】
また、図１（ａ）で示した面ファスナー２が、幅５ｃｍ、長さ１５ｃｍのものとし、パネルに８つ取り付けられている。面ファスナー２の合計の面積は６００ｃｍ２となり、剪断強度６．３Ｎ／ｃｍ２から計算すると、面ファスナー２の合計で３７８０Ｎ（≒３８５ｋｇｆ）の剪断強度を有することになる。
【００５１】
即ち、化粧パネル１の鉛直方向にかかる製品重量に対して、充分な固着力を有するものとなっている。また外部の環境から化粧パネルに加わる力、例えば、人の手で触れた場合の力等を加味しても、安定した支持が可能な構造といえる。なお、ここで示す数値はあくまで一例であり、所望のパネルの種類と大きさに応じて、安定して取り付け可能な面ファスナーの量が使用されれば充分である。
【００５２】
化粧パネル１及び壁面６を側面から見た状態を図２に示す。化粧パネル１の裏面４と、それを取り付けたい壁面６の位置を併せ、面ファスナー２及び面ファスナー７で着脱可能なものとなっている。なお、化粧パネル１の表面は、リブや様々な表面加工が施された意匠面８となっている。
【００５３】
化粧パネルと壁面への面ファスナーの配置として、図３に示すような構造も採用しうる。
図３（ａ）では、水平方向に長い化粧パネル９と、その裏面１０には一定間隔で複数の面ファスナー１１が取り付けられている。
【００５４】
この化粧パネル９は、図３（ｂ）に示す壁面１２及び壁面１３に対して連続して取り付け可能となっている。壁面１２及び壁面１３には、鉛直方向に連続的に面ファスナー１４が取り付けられている。また、隣接する面ファスナー１４同士の間は一定の間隔を有するものとなっている。
【００５５】
また、壁面１２と壁面１３の境界の部分１５では、短手方向への長さが、その他の面ファスナー１４の短手方向への長さの２倍ある面ファスナー１６が壁面１２の端部に取付けられている。
【００５６】
この壁面１２及び壁面１３には、例えば、上下の領域に１枚ずつ、化粧パネル９を取り付けることができる。このように、取り付けたい化粧パネルの数や大きさに併せて、壁面への面ファスナーの配置を適宜選択可能となっている。
【００５７】
また、化粧パネルと壁面における面ファスナーの長さの一例を示す。
図４には、化粧パネルの面ファスナーと壁面の面ファスナーの鉛直方向への長さが異なるものを示している。
【００５８】
図４（ａ）に示す図は、前述した化粧パネル１の面ファスナー２及び壁面６の面ファスナー７に対応するものである。
【００５９】
また、図４（ｂ）では、化粧パネル及び壁面に対して、鉛直方向への長さが略同一かつ連続的に取り付けられた面ファスナー１７及び面ファスナー１８が取り付けられている。更に、図４（ｃ）では、化粧パネル及び壁面に対して、鉛直方向への長さが略同一かつ面ファスナー同士の間に一定間隔が設けられた面ファスナー１９及び面ファスナー２０が取り付けられている。
【００６０】
このように、面ファスナーの長さは、適宜選択しうるものであるが、各図で示す態様ごとにメリットを有している。図４（ａ）では、まず、壁面側の面ファスナー７が鉛直方向に連続的に設けられたことで、パネルの自重がかかる鉛直方向に亘って固定可能となるため、より安定した支持構造となる。この点、図４（ｂ）の面ファスナー１８も同様である。
【００６１】
また、化粧パネル側の面ファスナー２が、壁面側の面ファスナー７よりも短くなっている。そのため、化粧パネルの取外しの際に、面ファスナー７は剥離される面ファスナー２の動きに追従しにくくなり、取外しを容易に行える。また、面ファスナー７が壁面から剥がれにくくなり、耐久性が向上する。
【００６２】
更に、化粧パネル側の面ファスナー２は、面ファスナー２同士の間に一定の間隔を有している。この隙間が、化粧パネルの取外しの際に金尺等の部材を差し込むスペースとなる。つまり、隙間を取っ掛かりとして、化粧パネルの取外しが容易に行えるものとなる。この点、図４（ｃ）の面ファスナー１９も同様である。
【００６３】
図４（ｂ）の構造では、化粧パネルも壁面も鉛直方向に連続的に形成された面ファスナー１７及び面ファスナー１８によって、しっかりと固着され、より安定した取り付け構造とすることができる。
【００６４】
また、図４（ｃ）の構造では、面ファスナー１９及び面ファスナー２０が必要な部分にのみ取り付けられているため、施工コストの面で優位なものとなる。
【００６５】
続いて、化粧パネルにおける面ファスナーの配置構造について説明する。
図５には、化粧パネルにおける面ファスナーの配置の構成の一例について示す。図５（ａ）には、化粧パネルの裏面の端部に沿って連続的に面ファスナー２１を取り付けている。このような構成の場合、パネルの反りが生じやすい端部が壁面にしっかりと固着されることとなり、パネルの形状変化を押さえやすいものとなる。また、壁面に取り付けた際の固着力が強いものとなる。
【００６６】
また、図５（ｂ）に示すように、化粧パネルの端部及び中央部に略田の字型に面ファスナー２２を取り付けることもできる。この場合、前述した面ファスナー２１よりも更に、壁面に対する固着力が強いものとすることができる。
【００６７】
また、図５（ｃ）に示すように、化粧パネルの裏面の略全面に亘って面ファスナー２３を取り付けた構造も採用しうる。面の全面で壁面に固着するため、非常に安定した取り付け構造にすることができる。
【００６８】
更に、図５（ｄ）に示すように、化粧パネルの裏面の略中央領域に面ファスナー２４を取り付けた構造も可能である。この場合、中央領域で充分な固着力を確保しつつ、パネルの取外しの際には、端部付近を取っ掛かりにして取外しやすいものとなっている。
【００６９】
このように、化粧パネルにおける面ファスナーの配置は、目的や使用頻度等に応じて適宜変更可能なものとなっている。
【００７０】
続いて、本発明に用いられる面ファスナーの長さ方向の剪断強度及び剥離強度について説明する。
【００７１】
化粧パネル取り付け時には、鉛直下方にパネル自身の重量がかかるため、壁面の鉛直方向に向けて面ファスナーを取り付けた際の長さ方向の剪断強度が、パネル支持の指標の数値となる。
【００７２】
本発明では、面ファスナーの長さ方向の剪断強度は、ＪＩＳ−Ｌ−３４１６−２０００に規定される試験方法に準じた方法で測定し、決定したものとする。図６（ａ）に示すように、面ファスナー２５同士の端部５ｃｍを貼り合せて、引張荷重を加えていき、接着面が平行にずれて、結合が解けるまでの最大荷重を設置面積で除した値（Ｎ／ｃｍ２）を面ファスナーの長さ方向の剪断強度としている。
【００７３】
また、化粧パネル取り付け時には、面ファスナーの長さ方向の剥離力が化粧パネルの反りやあばれ等による形状変化を押さえる力として働く。即ち、長さ方向の剥離力がパネル形状維持の指標の数値となる。
【００７４】
本発明では、面ファスナーの長さ方向の剥離強度は、剪断強度と同様に、ＪＩＳ−Ｌ−３４１６−２０００に規定される試験方法に準じた方法で測定し、決定したものとする。図６（ｂ）に示すように、面ファスナー２６同士の端部の約５ｃｍを貼り合せ、接着面の一辺に引張荷重を加えたときに生じる引張応力によって二面間の結合が順次解けていき、分離に至るまでの平均剥離荷重を荷重方向と垂直な一辺の距離で除した値（Ｎ／ｃｍ）を面ファスナーの長さ方向の剥離強度としている。
【００７５】
以上までで説明したように、本発明を適用した化粧パネルの取り付け構造は、面ファスナーを介して化粧パネルを壁面や天井面等の下地に容易に着脱可能な構造となっている。
【００７６】
また、面ファスナーを採用したことから、専門技術を要することなく、容易かつきれいに化粧パネルを取り付けることができる。また、接着剤とは異なり、貼り直しも可能である。
【００７７】
また、化粧パネルの種類の取り換えも容易に行うことができる。また、着脱による化粧パネルや壁面等への損傷が少なくなり、双方の使い回しが可能となる。
【００７８】
また、面ファスナーが下地材となる壁面等の変形や振動に対する緩衝材となり、化粧パネルが壁面等からの変形の影響を受けにくい構造となっている。
【００７９】
また化粧パネルや、壁面への面ファスナーの配置位置を変更して、サイズや設置位置を変更可能なものとなっている。また、面ファスナーの取り付け位置により、化粧パネル自体の反り等による変形を押さえやすいものとなっている。
【００８０】
以上のように、本発明に係る化粧パネルの取り付け構造は、パネルや取付け対象となる壁面等の損傷が少なく、容易にパネルの取り付けや取外しが可能なものとなっている。
また、本発明の化粧パネルの取り付け方法は、パネルや取付け対象となる壁面等の損傷が少なく、容易にパネルの取り付けや取外しが可能なものとなっている。
【符号の説明】
【００８１】
１      化粧パネル
２      面ファスナー
３      樹脂含浸紙
４      裏面
５      点線で示した部分
６      壁面
７      面ファスナー
８      意匠面
９      化粧パネル
１０      裏面
１１      面ファスナー
１２      壁面
１３      壁面
１４      面ファスナー
１５      境界の部分
１６      面ファスナー（２倍）
１７      面ファスナー（連続）
１８      面ファスナー（連続）
１９      面ファスナー（一定間隔）
２０      面ファスナー（一定間隔）
２１      面ファスナー
２２      面ファスナー（略田の字）
２３      面ファスナー（全面）
２４      面ファスナー（略中央領域）
２５      面ファスナー
２６      面ファスナー
【図１】
2015203260.tif 000003
【図２】
2015203260.tif 000004
【図３】
2015203260.tif 000005
【図４】
2015203260.tif 000006
【図５】
2015203260.tif 000007
【図６】
2015203260.tif 000008
【図７】
2015203260.tif 000009